(57)【要約】【課題】  住宅の周りに設置するコンクリートブロックフェンスであって、軽くて据付工事が簡単な、しかも工事費の安いフェンスの提供。【解決手段】  コンクリートブロック１は所定の厚さで内部に鉄筋４を埋着し、下側を除いた周囲にはレンガ２，２・・を取着、該レンガ２はコ型を成してその嵌合溝５にコンクリートブロック１を嵌めると共にモルタルを介して固定し、コンクリートブロックの下端部を土台３，３の嵌合溝に嵌合して起立する。【選択図】    図１
2006016877.tif 000002
【特許請求の範囲】
【請求項１】
住宅の周りに設置するコンクリートブロックフェンスにおいて、該コンクリートブロックは所定の厚さで内部に鉄筋を埋着し、下側を除いた周囲にはレンガを取着し、該レンガはコ型を成してその嵌合溝にコンクリートブロックを嵌めると共にモルタルを介して固定したことを特徴とする鉄筋コンクリートブロックフェンス。
【請求項２】
住宅の周りに設置するコンクリートブロックフェンスにおいて、該コンクリートブロックは所定の厚さで内部に鉄筋を埋着し、下側を除いた周囲にはレンガを取着し、該レンガはコ型を成してその嵌合溝にコンクリートブロックを嵌めると共にモルタルを介して固定し、コンクリートブロックの下端部を土台の嵌合溝に嵌合して起立したことを特徴とする鉄筋コンクリートブロックフェンス。
【請求項３】
上記コンクリートブロックを概略長方形とし、その両側及び上端にコ型レンガを配列・固定した請求項１、又は請求項２記載の鉄筋コンクリートブロックフェンス。
【請求項４】
上記コンクリートブロックを概略三角形とし、その両辺側にコ型レンガを配列・固定した請求項１、又は請求項２記載の鉄筋コンクリートブロックフェンス。
【発明の詳細な説明】
【技術分野】
【０００１】
本発明は住宅の周りに設置することが出来る鉄筋コンクリートブロックのフェンスに関するものである。
【背景技術】
【０００２】
住宅の周りに設置されるフェンスにも色々あり、主なフェンス形態としてはウッドフェンス、金属製フェンス、コンクリートブロックフェンスである。木製のウッドフェンスの場合、風雨や太陽の紫外線などによる劣化が激しくて色褪せてしまい、耐久性に乏しい。又、現場施工が強いられると共に材料費も嵩んで製作費は非常に高くなる。
【０００３】
金属製フェンスの場合、その材質としてはアルミや鋳物が一般的であるが、据付けには支えとなる柱が必要であり、強度は比較的弱い。そして、表面はメッキされたり又は塗装されているが、耐候性が低くて長年の間には色褪せたり時には腐食してしまう。
【０００４】
最もポピュラーなフェンスはコンクリートブロックを積み上げて構成したものである。コンクリートブロックとはコンクリートを型に流し込んで所定の形状に形作られたものであり、これを所定の場所に設置することで塀垣を作ることが出来る。ところで、コンクリートブロックと一口で言っても、その大きさや形状は様々であり、今日では多種多様なコンクリートブロックが造られ、該コンクリートブロックを使用した塀垣の形態も様々である。
【０００５】
コンクリートブロックは地面に沿って配列することが出来ると共に、上方へ積み上げることが出来るように成っている。このようなコンクリートブロックを住宅の周囲に積み上げることで塀垣を作ることは可能であるが、塀垣は一定高さのものに過ぎない。そして、工場にて製造されたコンクリートブロックを現場へ運んで行われる現場施工であることから、ウッドフェンスの場合と同じく工事費が嵩んでしまう。
【発明の開示】
【発明が解決しようとする課題】
【０００６】
このように、従来のコンクリートブロックを積み上げて製作される塀垣には上記のごとき問題がある。本発明が解決しようとする課題はこの問題点であり、ある形状に形作られたコンクリートブロックの縁にレンガを配列・固定したコンクリートブロックフェンスを提供する。
【課題を解決するための手段】
【０００７】
本発明に係るコンクリートブロックフェンスはコンクリートで造形したブロックの周にレンガを取付けて構成したものである。ベースとなるコンクリートブロックは一定厚さの板状態で補強用の鉄筋が埋着され、その形状は色々あるが、上縁及び側縁にはレンガが配列して取付けられている。ここで、コンクリートとレンガとの連結強度を高めると共に、位置決めする為にレンガはコ型を成し、コンクリートブロックを挟み込んで固定される。
【０００８】
従って、コンクリートブロックにコ型レンガを取り付けて縁取りされ、コンクリートブロックの表面は上壁が塗布されて仕上げられている。そして、該コンクリートブロックフェンスが転倒しないように起立する為に土台に固定されるが、該土台はコンクリート製ブロックの上側に嵌入溝を形成し、該嵌入溝にコンクリートブロックの下端部が嵌って垂直に起立する。
【発明の効果】
【０００９】
本発明に係るコンクリートブロックフェンスは土台に固定されて起立し、レンガが取付けられて縁取りしたもので、住宅の周囲に配列するだけでフェンスを作ることが出来る。すなわち、工場にて製作されたコンクリートブロックフェンスを現場へ運搬して配列するだけの作業で完成することが出来、従来のフェンス据付工事に比較して短期間で安く作ることが出来る。そして、レンガは起立したコンクリートブロックの縁に取着される為に、フェンスの笠や瓦として機能して浸食や汚れを防止することが出来る。
【００１０】
そして、縁取りしたレンガはコ型を成してコンクリートブロックを挟み込んだ状態でモルタルを介して固定される為に、該コンクリートブロックから外れることはなく、その位置決めも行われる。又、コンクリートブロックはコ型レンガにて挟まれる厚さと成っているが、内部には鉄筋が埋着されている為に、その強度は十分であり、軽くて丈夫な鉄筋コンクリートブロックフェンスが出来上がる。
【実施例】
【００１１】
図１は本発明に係るコンクリートブロックフェンスを示す実施例であり、同図の１はコンクリートブロック、２はレンガ、３は土台、４は鉄筋を夫々表している。コンクリートブロック１は一定厚さの長方形板を成し、内部には鉄筋４，４・・が埋着されて、該コンクリートブロック１の強度を高めている。そして、該コンクリートブロック１の両側及び上端にはレンガ２，２・・が取付けられている。
【００１２】
図２はレンガ２を単独で示している具体例であるが、該レンガ２はコ型を成し、中央には嵌合溝５を形成している。そこで、コンクリートブロック１はレンガ２の嵌合溝５に嵌合し、モルタルを介して固定される。すなわち、レンガ２はコンクリートブロック１の上端面及び側端面に載置される取付け構造ではなく、嵌合溝５に嵌合することで、該レンガ２はコンクリートブロック１に対して位置決めされると共にコンクリートブロック１から離脱することはない。
【００１３】
レンガ２，２・・は図１に示すように、小さな隙間６，６・・を残して配列されている。コンクリートブロック１の下端には大きな土台３，３は設けられ、該土台３，３に形成している嵌合溝にコンクリートブロック１の下端部が嵌って起立している。従って、コンクリートブロック１は転倒することなく、垂直に起立し、この状態で住宅の周囲に設置することでフェンスを作ることが出来る。
【００１４】
ところで、上記コンクリートブロック１はフェンスのベースとなる形態であり、その形状は特に限定しない。中央部に貫通穴を形成することも出来、上端を水平でなく滑らかな凸状曲面とすることも可能である。又、コンクリートブロックに石を埋め込み、該石が表面に露出するようにすることも出来る。
【００１５】
図３は本発明に係るコンクリートブロックフェンスを示す他の実施例である。同図のコンクリートブロックフェンスは三角形のコンクリートブロック７の２辺に沿ってレンガ２，２・・を配列している。このレンガ２，２・・は前記実施例の場合と同じくコ型をして、嵌合溝５にコンクリートブロック７の縁部が嵌合した状態でモルタルを介して固定されている。
【００１６】
そして、該コンクリートブロック７には３個の正方形穴８，８・・を貫通して設けている。又、コンクリートブロック７の下端は２個の土台３，３に形成している嵌合溝に嵌っていて、転倒しないように起立している。このコンクリートブロックフェンスは住宅の周囲に複数配置することで簡単に塀垣を作ることが出来る。ここで、コンクリートブロックフェンスを起立する土台の形態は限定されず、嵌合溝を形成した長尺台とすることも出来る。
【図面の簡単な説明】
【００１７】
【図１】本発明のコンクリートブロックフェンスの実施例。
【図２】コ型レンガの具体例。
【図３】本発明のコンクリートブロックフェンスの他の実施例。
【符号の説明】
【００１８】
１  コンクリートブロック
２  レンガ
３  土台
４  鉄筋
５  嵌合溝
６  隙間
７  コンクリートブロック
８  穴
【図１】
2006016877.tif 000003
【図２】
2006016877.tif 000004
【図３】
2006016877.tif 000005